(57)【要約】      （修正有）【課題】簡易な構造で作業性良く物品を固定することができる取付部品及び物品固定器具を提供する。【解決手段】締結具によって物品を固定する取付部品であって、取付部品は、締結具が接触する第一の面７ａから、第一の面７ａとは反対側に位置する他方の面までの長さがそれぞれ異なる複数の段構成部７ｂ〜７ｅを有し、複数の段構成部７ｂ〜７ｅのうちの一つの段構成部には締結具を挿通可能な貫通孔７ｆが設けられ、複数の段構成部７ｂ〜７ｅのうちの一つの段構成部は、第一の面７ａと平行な面内において奥行が変化する凹部７ｈを有する。【選択図】図５
0003210870.tif 000002
【実用新案登録請求の範囲】
【請求項１】
締結具によって物品を固定する取付部品であって、
前記取付部品は、前記締結具が接触する第一の面から、前記第一の面とは反対側に位置する他方の面までの長さがそれぞれ異なる複数の段構成部を有し、
前記複数の段構成部のうちの一つの段構成部には前記締結具を挿通可能な貫通孔が設けられ、
前記複数の段構成部のうちの一つの段構成部は、前記第一の面と平行な面内において奥行が変化する凹部を有する取付部品。
【請求項２】
前記物品は前記取付部品によって押さえつけられる固定部分を有し、
前記凹部を有する段構成部は、前記複数の段構成部のうち、前記固定部分と接触させる段構成部と隣接する段構成部であることを特徴とする、
請求項１に記載の取付部品。
【請求項３】
前記凹部はＶ字状であることを特徴とする、
請求項１又は２に記載の取付部品。
【請求項４】
前記貫通孔の数は一つであることを特徴とする、
請求項１〜３の何れか一項に記載の取付部品。
【請求項５】
前記貫通孔が設けられた段構成部よりも長い最終段構成部を有し、
前記貫通孔に対して前記最終段構成部と反対側の端に、最も長さが短い第１段構成部を有することを特徴とする、
請求項１〜４の何れか一項に記載の取付部品。
【請求項６】
請求項１〜５の何れか一項に記載の取付部品と締結具とによって、物品を固定する物品固定構造であって、
前記締結具の締結位置と前記取付部品に設けられた前記貫通孔から前記凹部までの距離とが、
前記取付部品が前記貫通孔を中心に回転した際に、前記凹部が前記物品の固定部分の側面に衝突するように構成され、前記取付部品の回転が抑制される、
物品の物品固定構造。
【請求項７】
請求項１〜５の何れか一項に記載の取付部品と締結具とを備え、物品を固定する物品固定器具であって、
前記締結具の締結位置と前記取付部品に設けられた前記貫通孔から前記凹部までの距離とが、
前記取付部品が前記貫通孔を中心に回転した際に、前記凹部が前記物品の固定部分の側面に衝突するように構成されている、
物品固定器具。
【請求項８】
物品と、
複数のネジ穴が設けられた据付部と、
請求項１〜５の何れか一項に記載の取付部品と締結具とを複数備え、前記物品を固定する物品固定器具と、
を備え、
前記締結具の締結位置と前記取付部品に設けられた前記貫通孔から前記凹部までの距離とが、前記取付部品が前記貫通孔を中心に回転した際に、前記凹部が前記物品の固定部分の側面に衝突するように構成されている、
物品固定装置。
【考案の詳細な説明】
【技術分野】
【０００１】
本考案は、物品を固定する取付部品及び物品固定器具に関する。
【背景技術】
【０００２】
従来、比較的重量の大きい物品を垂直に倒立したまま固定するために様々な器具が利用されている。例えば、重量のある物品を支える支柱の先端にフランジを設け、当該フランジを取付部品を用いて台座に押さえつけるといったことが行われている。
【０００３】
特許文献１には、一方の配管に一面側をフランジ状に接続されるフランジ状接続板体の他面側に相手フランジを複数のクランプ板でクランプして接続固定できるようにしたフランジ接続装置が開示されている。
【先行技術文献】
【特許文献】
【０００４】
【特許文献１】特許第４６１５６１０号
【考案の概要】
【考案が解決しようとする課題】
【０００５】
物品を固定するための取付部品は複数種類存在し、上記特許文献１に記されたボルト及びナットとクランプ板とからなる取付部品以外に、例えば、本体から延伸された抑え部（または爪部）を有するブロック状の金属部品である取付部品がある。当該取付部品でフランジを有する物品を固定する場合、フランジを爪部分と物品を設置する台座との間に挟み、取付部品に設けられた貫通孔にネジを通し、台座が有するネジ穴にネジを螺合させて締め付ける。
【０００６】
ところで、取付部品を押さえつけるためのネジは、取付時に取付部品が回転してしまい、作業性が悪くなることがあるため、複数のネジで取付部品を固定していた。
【０００７】
しかしながら、取付部品及び台座にネジ穴を複数設ける場合、製品の製造工程及び部品を取り付ける作業工程が増え、高コストとなる。一方で単純に、取付部品を一つのネジで締め付けただけでは、取付時に取付部品が回転することを防止することができない。
【０００８】
本考案は、上記の点に鑑みてなされたものであり、簡易な構造で作業性良く物品を固定することができる技術を提供する。
【課題を解決するための手段】
【０００９】
上記課題を解決するために、代表的な考案の一つとして、締結具によって物品を固定する取付部品であって、前記取付部品は、前記締結具が接触する第一の面から、前記第一の面とは反対側に位置する他方の面までの長さがそれぞれ異なる複数の段構成部を有し、前記複数の段構成部のうちの一つの段構成部には前記締結具を挿通可能な貫通孔が設けられ、前記複数の段構成部のうちの一つの段構成部は、前記第一の面と平行な面内において奥行が変化する凹部を有する取付部品を提供する。
【考案の効果】
【００１０】
本考案によれば、簡易な構造で作業性良く物品を固定することができる技術を提供する。上記以外の課題、構成及び効果は、以下の実施の形態の説明により明らかにされる。
【図面の簡単な説明】
【００１１】
【図１】従来技術でアンテナ装置を固定した様子を示す図である。
【図２】従来の取付部品の拡大図である。
【図３】本考案に係る取付部品を用いてアンテナ装置を固定した様子を示す図である。
【図４】本考案に係る取付部品の拡大図である。
【図５】実施例に係る取付部品の構成を示す図である。
【図６】取付部品をネジで締め付けてフランジを押さえた様子を示す図である。
【図７】取付部品の可動範囲を説明するための図である。
【図８】台座の正面図である。
【図９】先端にフランジが取り付けられた支柱を示した図である。
【図１０】凹部を有する取付部品を示す図である。
【図１１】第３段構成部が斜めに切り欠かれた取付部品を示す図である。
【図１２】取付部品の別の例を示す図である。
【考案を実施するための形態】
【００１２】
［概要］
アンテナ装置、照明又はカメラといった機器を設置する場合、電波を受信する方向、光を当てる方向又は撮影する方向等、特定の方向に向けて上記機器を設置する必要がある。機器を向ける方向は、同一方向のまま固定されていることもあれば、状況に応じて変える必要がある場合もある。
【００１３】
機器を向ける方向が固定的でない場合は、設置後に容易に向きを変更できるように或いは設置時に角度の微調整が可能であるように、ネジ部材などを用いず、代わりに、例えば取付部品で機器を押さえつけて固定する手段が用いられる。
【００１４】
図１は、アンテナ装置Ａを固定する一般的な固定装置を示す図である。アンテナ装置Ａは、支柱２によって支えられ、支柱２の先端にはアンテナ装置Ａの固定部分の一例であるフランジ３が取り付けられている。アンテナ装置Ａは、据付部の一例である台座４の上に上記フランジ３を設置して、四方向から取付部品５で上記フランジ３を押さえつけることによって固定されている。
【００１５】
図２は、一般的な取付部品５の拡大図である。図２に示した取付部品５にはネジ穴が二つ設けられ、二つのネジ６Ａによって締め付けられてフランジ３を押さえつけている。取付部品５は、二つのネジ６Ａによって固定されることにより、水平方向に回転できなくなっている。換言すると、従来の取付部品５では、ネジ６Ａを２本使用して止めることにより取付部品５が水平方向にガタつくことを抑制している。
【００１６】
図３は、本考案に係る取付部品７を用いてアンテナ装置Ａを固定した様子を示す図である。図４は、本考案に係る取付部品７の拡大図である。図４に示すように、本考案に係る取付部品７はネジ穴を一つだけ有し、単一のネジ６Ｂによって締め付けられている。上述したとおり、単一のネジ６Ｂで取付部品を締め付ける場合、締め付け時に取付部品が回転しうる。しかしながら、以下に説明するように、本考案に係る取付部品７はフランジ３の側面部に衝突しうるＶ字状の凹部を有するため、取付部品７が回転できる可動域が狭く抑えられている。
【００１７】
以下、図面に基づいて、本考案の実施例の詳細を説明する。なお、本考案の実施例は、後述する実施例に限定されるものではなく、その技術思想の範囲において、種々の変形が可能である。また、後述する各実施例の説明に使用する各図の対応部分には同一の符号を付して示し、重複する説明を省略する。
【００１８】
＜実施例＞
図３及び４を参照して本考案の構成を説明する。本考案に係る物品固定器具１は、取付部品７と、取付部品７を締め付けるためのネジ６Ｂと、取付部品７を固定してネジ６Ｂによって押圧するためのネジ穴が設けられた台座４と、を有する。台座４に設けられるネジ穴の位置や取付部品７の寸法等は、取付部品７で押さえつける物品の形状に合わせて適宜調節される。本実施例では、支柱２の他端に設けられたフランジ３を取付部品７によって押さえつけることによりアンテナ装置Ａを固定する場合について説明する。
【００１９】
［取付部品の構成］
図５は、実施例に係る取付部品７の構成を示す図である。図５（ａ）は取付部品７の側面図であり、図５（ｂ）は取付部品７を下側から見た場合の正面図である。図５（ａ）及び（ｂ）に示す取付部品７の寸法及び形状は一例であり、適宜変更することができる。
【００２０】
図５（ａ）に示すように、取付部品７は、ネジ６Ｂの頭が接触する第一の面である上面７ａと上面７ａとは反対側に位置する面までの長さ又は厚みがそれぞれ異なる複数の段構成部７ｂ〜７ｅとを有する。また、取付部品７には、取付部品７の上側と下側とを貫通する略円筒形状の貫通孔７ｆが一つ設けられている。
【００２１】
取付部品７の第１段構成部７ｂは、取付部品７の爪部７ｇでもあり、ネジ６Ｂで取付部品７が締め付けられた際にフランジ３の上面に接触してフランジ３を押さえつける役割を果たす。上面７ａから第１段構成部７ｂまでの長さｄ１は、フランジ３を押さえつけたときにも変形が生じない十分な強度を得られる寸法に設計されており、上面７ａから第４段構成部７ｅまでの長さｄ４との差がフランジ３の厚み以上となるように設計される。そのため、上述したように、取付部品７はネジ６Ｂで締め付けられた際に爪部品７が前傾姿勢となるため、爪部７ｇは概ねその先端に近い部分がフランジ３と接触する。
【００２２】
取付部品７の上面７ａから第２段構成部７ｃまでの長さｄ２は、上面７ａから第１段構成部７ｂの長さｄ１と比較して長く、概ね、上面７ａから第１段構成部７ｂまでの長さｄ１と第４段構成部７ｅのまでの長さｄ４の中間程度の長さである。このような長さにすることによって、取付部品７が前傾姿勢になった際に、第１段構成部７ｂがフランジ３と接触する前に第２段構成部７ｃや第３段構成部７ｄが台座４と接触してしまい、取付部品７がフランジ３を押さえつけられなくなることを防止することができる。
【００２３】
第２段構成部７ｃは、フランジ３の上面には接触しない。第２段構成部７ｃは第１段構成部７ｂがフランジ３に接触する面と隣接する面に、上面７ａと平行な面内において奥行が変化する凹部７ｈを有し、フランジ３の側面に接触する。本実施例では、上記凹部７ｈはＶ字状である。第２段構成部７ｃが有するＶ字状の凹部７ｈの役割については後述する。
【００２４】
取付部品７の第３段構成部７ｄには、ネジ６Ｂを通す貫通孔７ｆが設けられている。上面７ａから第３段構成部７ｄまでの長さｄ３は、上面７ａから第４段構成部７ｅ（最終段構成部）までの長さｄ４より若干厚さが薄く形成される。このようにすることにより、ネジ６Ｂで取付部品７を締め付けた際に、取付部品７がフランジ３側に傾斜し、フランジ３をしっかり押さえつけることができる。なお、本実施例に係る取付部品７は４つの段構成部を有し、第３段構成部７ｄに貫通孔７ｆが設けられているが、取付部品７は５つ以上の段構成部を有し、貫通孔７ｆは第３段構成部７ｄよりも長さが長い段構成部に設けられていてもよい。
【００２５】
第４段構成部７ｅは、取付部品７において貫通孔７ｆに対して第１段構成部７ｂとは反対側に位置する。第４段構成部７ｅは、取付部品７において長さｄ４が最も長く且つ幅が狭く設計された段構成部である。上述したように、取付部品７は、この幅の狭い第４段構成部７ｅを有するためにネジ６Ｂで締め付けられた際に前傾姿勢になり、爪部７ｇの先端付近でしっかりフランジ３を押さえつけることができる。
【００２６】
第４段構成部７ｅは、例えば、隣接する第３段構成部７ｄに対して略１ｍｍ高く形成され、第４段構成部７ｅはその略全面が台座４に接触する。第４段構成部７ｅを第３段構成部７ｄに対して高すぎないように設計することにより、ネジ６Ｂで取付部品７を強く締め付けた際に第４段構成部７ｅに応力が掛かりすぎて破損するのを防ぐことができる。
【００２７】
図５（ａ）及び（ｂ）を参照しながら取付部品７の寸法の例を以下に記す。取付部品７の水平方向又は長手方向の長さＬ２は略１００ｍｍであり、幅Ｌ１は略３５ｍｍである。また、取付部品７が有する第４段構成部７ｅの幅は２〜４ｍｍ程度であり、第２段構成部７ｃに設けられたＶ字状の凹部７ｈは奥行Ｌ３が略５ｍｍである。また、図５（ａ）に記した長さｄ１〜ｄ４は、例えば、ｄ１が略１５ｍｍ、ｄ２が略２１ｍｍ、ｄ３が略２６ｍｍ、ｄ４が略２７ｍｍである。なお、これらの寸法は一例であり、固定するフランジの大きさ等により適宜変更可能である。
【００２８】
続いて、取付部品７に第３段構成部７ｄとは長さが異なる第２段構成部７ｃを設けることの利点とＶ字状の凹部７ｈが果たす役割について図６及び図７を参照して説明する。
【００２９】
［第２段構成部を有する取付部品の利点］
図６は、取付部品７をネジ６Ｂで締め付けてフランジ３を押さえた様子を示す図である。以下に、図６を参照しながら取付部品７に第２段構成部７ｃを設けることによって奏する効果について説明する。図６（ａ）に示された取付部品７は第２段構成部７ｃを設けられた実施例に係る取付部品７であり、図６（ｂ）に示された取付部品８は、取付部品７の第２段構成部７ｃに相当する構成部が設けられていない比較用の取付部品８である。
【００３０】
図６（ｂ）に示すように、比較用の取付部品８は、第２段構成部８ｄの先端が台座４に接触してしまうため、取付部品８がそれ以上前傾することが困難となっている。そのため、比較用の取付部品８の爪部の先端はフランジ３上面に接触することができず、フランジ３を押さえつけることができなくなっている。一方で図６（ａ）に示すように、第２段構成部７ｃが設けられた取付部品７は、第２段構成部７ｃが台座４に接触することなく爪部７ｇの先端がしっかりとフランジ３上面に接触してフランジ３を押さえつけることができている。
【００３１】
［Ｖ字状の凹部が果たす役割］
上に述べたとおり、実施例に係る取付部品７は単一のネジ６Ｂによって締め付けられる。したがって、取付部品７は、二つのネジ６Ａによって締め付けられた取付部品５と比較して、取付部品７の取り付け時に貫通孔７ｆの中心を軸にして回転してしまい作業性が悪くなることがある。第２段構成部７ｃの側面に設けられたＶ字状の凹部７ｈは、上記作業性の悪化を軽減する。このことを以下に説明する。
【００３２】
取付部品７の可動範囲は、取付部品７が有する第２段構成部７ｃの側面がフランジ３の側面に近ければ近いほど狭くなる。そして、第２段構成部７ｃの側面がフランジ３の側面に接する寸法の場合、取付部品７の取り付け時であっても取付部品７の回転が一層減じる。
【００３３】
しかしながら、実際の製品の製造では出来上がった製品の寸法にバラつきが生じるため、第２段構成部７ｃの側面が丁度フランジ３の側面に接する寸法で取付部品７を設計することは困難である。つまり、フランジ３の側面と取付部品７の第２段構成部７ｃの側面とが多少離間するような寸法で取付部品７を設計する必要がある。第２段構成部７ｃが有する切欠きの形状と取付部品７の可動範囲との関係について、図７を参照しながら説明する。
【００３４】
図７は、取付部品７の可動範囲を説明するための図である。図７に示すように第２段構成部７ｃの凹部７ｈの形状がＶ字状である場合は、取付部品７がフランジ３に対して垂直な位置からフランジ３に衝突するまでの距離がｄ１であるのに対し、第２段構成部７ｃが特に凹部７ｈを有さない形状である場合は、上記距離がd2（＞d1）となり、取付部品７がより大きく回転することがわかる。上記ｄ１＜ｄ２の関係は凹部７ｈの先端Ｃ１がＣ２の位置にくるまで満たされる。したがって、Ｃ１とＣ２との距離ｄが設計公差の範囲内となるように公差の値を決めれば、Ｖ字状の凹部７ｈを設けた場合に取付部品７の可動範囲がより狭くなるように部品を製造できる。
【００３５】
［台座の構成］
図８は、台座４の正面図である。図８に示した例では、台座４は直径２００ｍｍの円周に沿って均等にネジ穴が設けられている。取付部品７を締め付けるためのネジ６Ｂは、このネジ穴に挿入される。ここで、円の直径２００ｍｍはフランジ３の直径１５０ｍｍよりも大きい。
【００３６】
［支柱の構成］
図９は先端にフランジ３が取り付けられた支柱２を示した図である。図９に示した例ではフランジ３の直径は略１５０ｍｍであり、厚みは１２ｍｍである。図３にて既に示したとおり、取付部品７の第４段構成部７ｅと第１段構成部７ｂとの長さの差は１２ｍｍであり、フランジ３の厚みと略同一に設計されていることがわかる。ただし、製品の寸法のばらつきを考慮するならば、取付部品７の第４段構成部７ｅから第１段構成部７ｂまでの長さは、フランジ３の厚み以上に長い方が望ましい。
【００３７】
［物品固定器具の設計］
物品固定器具１は、例えば、アンテナ装置、照明又はカメラといった設置する機器や、固定したいフランジ３の大きさに応じて適宜寸法やネジ穴の位置等を調節する必要がある。具体的には、例えば、取付部品７に設ける貫通孔７ｆの位置、第２段構成部７ｃの長手方向又は水平方向の長さ、台座４に設けるネジ穴の位置等を調節し、取付部品７が貫通孔７ｆを中心に回転した際に、凹部７ｈの側面が固定したいフランジ３の側面に接触するようにする。換言すると、台座４に設けられたネジ穴の位置と取付部品７の貫通孔７ｆから凹部７ｈまでの距離とが、取付部品７が貫通孔７ｆを中心に回転した際に、凹部７ｈが物品の固定部分（例えば、フランジ３）の側面に衝突するように設計されている
【００３８】
［変形例１］
実施例に係る取付部品７の説明では、取付部品７の第２段構成部７ｃが有する凹部７ｈの形状はＶ字状であるとした。第２段構成部７ｃが有する凹部７ｈの形状は、例えばＶ字以外の凹状であってもよい。また、取付部品の第２段構成部７ｃは、側面が斜めに切り欠かれていてもよい。
【００３９】
図１０は、円弧状の凹部１０ｈを有する取付部品１０を示す図である。この場合も同様に、第２段構成部１０ｃに凹部１０ｈが設けられていない場合と比較して、より小さい可動範囲で取付部品１０がフランジ３の側面に衝突し、取付部品１０の取り付け時においても取付部品の回転を抑えることができる。なお、円弧状の凹部１０ｈの形状は、フランジ３の側面に沿った形状であってもよい。
【００４０】
図１１は、第２段構成部１１ｃが斜めに切り欠かれた取付部品１１を示す図である。この場合、取付部品１１はネジ６Ｂを締め付ける回転方向に対してはフランジ３の側面と衝突して回転が抑えられるが、それとは反対側の回転方向に対してはフランジ３の側面に衝突せずに自由に回動することができる。このような構造とした場合、ネジ６Ｂを締め付け、取付部品１１によってフランジ３を固定する場合には取付部品１１が回転することなく押さえつけることができる。一方、ネジ６Ｂを緩めると取付部品１１が回転し、フランジ３を押さえつけていた第４段構成部１１ｅが移動するため、すばやくフランジ３を取り外すことができる。
【００４１】
［変形例２］
図１２は、取付部品７の別の例を示す図である。本変形例では、取付部品１２の第２段構成部１２ｃの上面１２ａからの長さｄ２が連続的に変化している。このように取付部品１２の形状は取付部品７の第３段構成部７ｄの先端が斜めに切り欠かれた形状であってもよい。この形状を有する取付部品７の場合も同様に、第３段構成部１２ｄが台座４と接触することなく、爪部７ｇの先端がしっかりとフランジ３上面に接触してフランジ３を押さえつけることができる。
【００４２】
［変形例３］
実施例に係る取付部品７は、段構成部の数が四段であるとした。取付部品７が有する段構成部の数は四段でなくともよい。取付部品７は、例えば爪部７ｇを有する第１段構成部と第１段構成部に隣接する第２段構成部のみを有してもよい。或いは、取付部品７は、爪部７ｇを有する第１段構成部と第１段構成部に隣接する第２段構成部と第２段構成部に接する第３段構成部のみを有していてもよい。それらの場合も第２段構成部には、フランジ３の側面に接触する凹状の凹部７ｈが設けられる。
【００４３】
なお、本考案は上記した実施例に限定されるものではなく、様々な変形例が含まれる。例えば、上記した実施例は本考案を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４４】
例えば、取付部品７の素材は金属に限定されない。取付部品７の素材は、所望の強度が得られれば、樹脂であってもよい。また、実施例の説明ではアンテナ装置Ａを固定する例を示したが、固定する物品はアンテナ装置Ａに限らない。物品固定器具１が固定する物品は、照明やカメラであってもよい。また、固定する物品は必ずしもフランジ３を有している必要はなく、取付部品７で押さえつけることができる扁平な形状の固定部分又は平行な２面を有する固定部分を有していればよい。また、図３ではフランジ３を四方向から取付部品７で押さえつけて固定する例を示したが、フランジ３は三方向から取付部品７で抑えつけて固定してもよい。
【符号の説明】
【００４５】
Ａ…アンテナ装置
１…物品固定器具
２…支柱
３…フランジ
４…台座
５、７、８…取付部品
６Ａ、６Ｂ…ネジ
７、８、１０、１１、１２…取付部品
７ａ、１２ａ…上面
７ｂ…第１段構成部
７ｃ、１０ｃ、１１ｃ、１２ｃ…第２段構成部
７ｄ、８ｄ、１０ｄ、１２ｄ…第３段構成部
７ｅ、１１ｅ…第４段構成部
７ｆ…貫通孔
７ｇ…爪部
７ｈ、１０ｈ、１１ｈ…凹部
【図１】
0003210870.tif 000003
【図２】
0003210870.tif 000004
【図３】
0003210870.tif 000005
【図４】
0003210870.tif 000006
【図５】
0003210870.tif 000007
【図６】
0003210870.tif 000008
【図７】
0003210870.tif 000009
【図８】
0003210870.tif 000010
【図９】
0003210870.tif 000011
【図１０】
0003210870.tif 000012
【図１１】
0003210870.tif 000013
【図１２】
0003210870.tif 000014